(57)【要約】【課題】針金や粘着剤を用いなくても荷物や商品に取り付けることができ、コンピュータ処理した情報をラベルに印字した後に、タグに貼付させることで効率的に作業を行なうことができ、タグに貼り付けたラベルを不正に貼り換えることを防止できるタグラベルシートを提供する。【解決手段】タグ部とラベル部とを有する上基材と、前記上基材の下側に貼付された下基材と、からなるタグラベルシートであって、前記上基材には、タグ部となる領域を囲む部分と、ラベル部となる領域を囲む部分と、に切り込みが形成され、前記上基材のタグ部となる領域の裏面に、粘着剤層が設けられ、前記上基材のラベル部となる領域の裏面に、前記下基材に対して、接着後に剥離可能な状態で接着する疑似接着剤層が設けられ、前記下基材の上面であって、前記上基材のラベル部となる領域の裏面に設けられた粘着剤層と重ね合わされる領域上に、剥離剤層が設けられている。【選択図】        図１
2010145884.tif 000002
【特許請求の範囲】
【請求項１】
タグ部とラベル部とを有する上基材と、前記上基材の下側に貼付された下基材と、からなるタグラベルシートであって、
前記上基材には、タグ部となる領域を囲む部分と、ラベル部となる領域を囲む部分と、に切り込みが形成され、
前記上基材のラベル部となる領域の裏面に、粘着剤層が設けられ、
前記上基材のタグ部となる領域の裏面に、前記下基材に対して、接着後に剥離可能な状態で接着する疑似接着剤層が設けられ、
前記下基材の上面であって、前記上基材のラベル部となる領域の裏面に設けられた粘着剤層と重ね合わされる領域上に、剥離剤層が設けられていることを特徴とするタグラベルシート。
【請求項２】
前記上基材の一部に、タグ部を吊るす際に使用する紐部が設けられていることを特徴とする請求項１記載のタグラベルシート。
【請求項３】
前記上基材のタグ部の領域内に、外周部からタグ部の中央部方向に対して、鋭角で広がる状態で形成された切込み部が複数設けられていることを特徴とする請求項１記載のタグラベルシート。
【発明の詳細な説明】
【技術分野】
【０００１】
本発明は、荷物や商品に添付するためのタグが、台紙上に剥離可能な状態で複数設けられたタグラベルシートに関する。
【背景技術】
【０００２】
従来、荷物や商品に添付するためのタグとして、種々の構成のものが知られている。（例えば、特許文献１〜３、参照）
例えば、荷物や商品に取り付けるための針金が設けられた針金付きのタグが広く知られている。
しかしながら、針金付きのタグは、針金が硬いのでタグを荷物に取り付ける際や、取り付けた荷物からタグを取り外す際に手間取ったりして作業性が悪かったり、また取り付けた針金をほぐすときに、針金の先などで指を傷つけるなどの危険性もあるという問題がある。
【０００３】
また、タグに各種の情報を表示させる場合には、タグの表面に手書きして記入する場合もあるが、大量のタグに対して情報を表示する場合には、コンピュータ処理した情報をプリンタを利用してラベルに印字した後に、そのラベルをタグの表面上に貼付させることで情報が表示されたタグを作成する場合もある。
しかしながら、これらの方法であると、ラベルをタグに貼付するための作業が煩雑となり作業効率が悪いという問題がある。
【０００４】
また、裏面に粘着剤層を有するラベルと、タグの基体と、を一体化させた構造を有するタグラベルを使用する場合もある。
しかしながら、このタグラベルを商品に直接貼付させた場合には、貼付させたタグラベルをその商品から剥離させる際に、商品に粘着剤が付着した状態のまま残ることもあり、これにより商品価値が下がったりするという問題があったり、更に、商品からタグラベルを剥ぎ取る際に、商品自体を傷つけてしまうという危険性があるという問題がある。
【０００５】
【特許文献１】特開２００７−１７１３０１号公報
【特許文献２】特開２００７−２４１５６１号公報
【特許文献３】特開２００８−９６５０４号公報
【発明の開示】
【発明が解決しようとする課題】
【０００６】
そこで、本発明は、荷物や商品に添付する際に、針金や粘着剤を用いなくても荷物や商品に取り付けることができ、また、大量のタグに情報を表示する場合にも、コンピュータ処理した情報をラベルに印字した後に、そのラベルと一体化させたタグに貼付させることで、短時間で効率的に作業を行なうことができ、更にタグに貼り付けたラベルを不正に貼り換えることを防止できるタグラベルシートを提供する。
【課題を解決するための手段】
【０００７】
本発明のタグラベルシートは、タグ部とラベル部とを有する上基材と、前記上基材の下側に貼付された下基材と、からなるタグラベルシートであって、前記上基材には、タグ部となる領域を囲む部分と、ラベル部となる領域を囲む部分と、に切り込みが形成され、前記上基材のラベル部となる領域の裏面に、粘着剤層が設けられ、前記上基材のタグ部となる領域の裏面に、前記下基材に対して、接着後に剥離可能な状態で接着する疑似接着剤層が設けられ、前記下基材の上面であって、前記上基材のラベル部となる領域の裏面に設けられた粘着剤層と重ね合わされる領域上に、剥離剤層が設けられていることを特徴とする。
【０００８】
また、本発明のタグラベルシートは、前記上基材の一部に、タグ部を吊るす際に使用する紐部が設けられていることを特徴とする。
【０００９】
更に、本発明のタグラベルシートは、前記上基材のタグ部の領域内に、外周部からタグ部の中央部方向に対して、鋭角で広がる状態で形成された切込み部が複数設けられていることを特徴とする。
【発明の効果】
【００１０】
したがって、本発明のタグラベルシートは、タグ部とラベル部とを有する上基材と、前記上基材の下側に貼付された下基材と、から構成され、ラベルをタグに貼付するための作業もタグ部とラベル部が同一のシートに設けられているので、作業効率が良いという効果がある。
【００１１】
また、本発明のタグラベルシートは、上基材の一部に、タグ部を吊るす際に使用する紐部が設けられているので、荷物や商品に添付する際に、針金や粘着剤を用いなくても荷物や商品に取り付けることができ、タグを荷物に取り付ける際や、取り付けた荷物からタグを取り外す際に、針金の先などで指を傷つける危険性もなく作業性もよく、更に、針金や粘着剤を用いなくても荷物や商品に取り付けることができ、指を傷つける危険性もないという効果がある。
【００１２】
更に、本発明のタグラベルシートは、上基材のタグ部の領域内に、外周部からタグ部の中央部方向に対して、鋭角で広がる状態で形成された切込み部が複数設けられているので、ラベルをタグから剥ぎ取って不正にラベルの貼り換えを行なうことを防止できるという効果がある。
【発明を実施するための最良の形態】
【００１３】
以下、本発明の実施形態に係るタグラベルシートを図面に基づいて詳細に説明する。
図１は、本発明の実施形態に係るタグラベルシートの平面図、図２は、本発明の実施形態に係るタグラベルシートにおいて、上基材と下基材とを分離させた状態を示す図、図３は、本発明の実施形態に係るタグラベルシートを用いて作成したタグの平面図である。
図１に示すように、本発明の実施形態に係るタグラベルシート１は、タグ部２とラベル部３とを有する上基材４と、前記上基材４の下側に貼付された下基材５と、からなる。
【００１４】
図示した実施形態に係るタグラベルシート１には、上から順番に縦方向に対して、タグ部２とラベル部３が並べられ、更にその下側にラベル部３とタグ部２が並べられており、更に、それらの縦方向に並べられたラベルの列が、横方向に４列並べられている場合の形態が示されている。
尚、本発明のタグラベルシート１では、少なくとも１組のタグ部２とラベル部３とが上基材４に設けられていればよい。
【００１５】
上基材４には、タグ部２となる領域を囲む部分と、ラベル部３となる領域を囲む部分と、にそれぞれ切り込み６，７が形成されており、それぞれ切り込み６，７からタグ部２とラベル部３とを上基材４から分離できるように構成されている。
また、上基材４の一部には、タグ部２を吊るす際に使用する紐部８が設けられている。
この紐部８は、上基材４に形成された切り込み９により、上基材４から分離できるように構成されている。
【００１６】
次に、図２に示すように、上基材４のラベル部３となる領域の裏面には、粘着剤層１０が設けられている。
また、前記上基材４のタグ部２となる領域の裏面には、前記下基材５に対して、接着後に剥離可能な状態で接着する疑似接着剤層１１が設けられている。
更に、前記上基材４の紐部８となる領域の裏面にも、前記下基材５に対して、接着後に剥離可能な状態で接着する疑似接着剤層１２が設けられているが、紐部６となる領域の先端部分領域の裏面には、粘着剤が塗布されている粘着剤塗布部１６が設けられている。
そして、下基材４の上面であって、紐部６の裏面の粘着剤塗布部１６と重なる領域には、剥離剤が塗布された剥離剤塗布部１７が設けられている。
【００１７】
上基材４に設けられているタグ部２、ラベル部３、紐部８、の各部を除く他の部分では、上基材４と下基材５との間に接着剤層１３が設けられており、接着状態で一体化されている。
尚、図２に示されている図では、上基材４の裏面に設けられている粘着剤層１０、疑似接着剤層１１，１２、接着剤層１３、からなる各層の部分を、上基材４と下基材５とを分離させた間に表示してあるが、実際は、これらの各層は、上基材４の裏面に設けられているものである。
【００１８】
また、下基材５の上面であって、前記上基材４のラベル部３となる領域の裏面に設けられた粘着剤層１０と重ね合わされる領域上には、剥離剤層１４が設けられている。
したがって、上基材４のラベル部３は、その裏面に設けられた粘着剤層１０により下基材５の上面と貼り合わされているが、下基材５の上面に設けられている剥離剤層１４により剥離可能になっている。
【００１９】
また、上基材４に設けられているタグ部２には、Ｖ字状の切れ込み１５が４箇所に形成されており、それらの複数のＶ字状の切れ込み１５は、Ｖ字状の両端側がタグ部２の中央部に向かう状態で形成されている。
これにより、タグ部２の表面上に貼付されたラベル部３が剥がされた場合には、タグ部２の一部がＶ字状の切れ込み１５から切り取られて、その履歴が残るようにしてある。
【００２０】
次に、本発明の実施形態に係るタグラベルシート１の使用方法について説明する。
タグラベルシート１を使用する場合には、上基材４のラベル部３に各種の情報を記入またはプリンタなどで印字することで表示する。
例えば、プリンタを用いて印字する場合には、タグラベルシート１のラベル部３に、タグ部２を添付して配送する配送先の宛先、住所、電話番号などを印字させて表示する。
【００２１】
次に、図３に示すように、下基材５から上基材４のタグ部２と紐部８を剥離させる。そ  して、紐部８を荷物の所定部分に通す。
次に、紐部６の先端についている粘着剤層１０の粘着剤により、タグ部２の裏面に貼り付ける。
次に下基材５から上基材４のラベル部３を剥離させる。そして、ラベル部３をタグ部２の裏面に紐部８を挟み込むように貼り付ける。
【００２２】
以上のように、本発明のタグラベルシート１は、荷物や商品に添付する際に、針金や粘着剤を用いなくても荷物や商品に取り付けることができるように構成されており、また、上基材４にタグ部２とラベル部３とが並んで設けられているので、効率的にラベルをタグに貼り付けることができる。
【図面の簡単な説明】
【００２３】
【図１】本発明の実施形態に係るタグラベルシートの平面図である。
【図２】本発明の実施形態に係るタグラベルシートにおいて、上基材と下基材とを分離させた状態を示す図である。
【図３】本発明の実施形態に係るタグラベルシートを用いて作成したタグの平面図である。
【符号の説明】
【００２４】
１  タグラベルシート
２  タグ部
３  ラベル部
４  上基材
５  下基材
６，７，９，１５  切り込み
８  紐部
１０  粘着剤層
１１，１２  疑似接着剤層
１３  接着剤層
１４  剥離剤層
１６  粘着剤塗布部
１７  剥離剤塗布部
【図１】
2010145884.tif 000003
【図２】
2010145884.tif 000004
【図３】
2010145884.tif 000005